【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
像担持体と、
前記像担持体の移動方向とは異なる方向の１つ以上の現像剤によるラインを含む検出画像を前記像担持体に形成する形成手段と、
前記検出画像が形成された像担持体に向けて光を照射する照射手段と、
前記照射手段が照射した光の反射光を受光し、正反射光成分を含む反射光の受光量に応じた検出信号を出力する受光手段と、
前記像担持体に形成された検出画像が前記照射手段による照射領域を通過する間に、前記検出画像が形成された第１の位置からの反射光の受光量に応じた検出信号の値と、前記第１の位置とは異なる第２の位置からの反射光の受光量に応じた検出信号の値と、の差に応じた信号に基づき前記検出画像の位置情報または濃度情報を検出する検出手段と、
を備えており、
前記第１の位置及び前記第２の位置それぞれでの前記検出手段による検出領域の前記移動方向の長さは、前記ラインの前記移動方向の長さより短いことを特徴とする画像形成装置。
【請求項２】
前記照射手段は、前記像担持体に発散光束を照射することを特徴とする請求項１に記載の画像形成装置。
【請求項３】
前記反射光は、光を絞るため又は集光するための光学部材を経由することなく前記受光手段により受光されることを特徴とする請求項１又は２に記載の画像形成装置。
【請求項４】
前記検出画像は、前記移動方向とは直交する方向の複数のラインを含み、
前記複数のラインの間隔は、前記検出画像の移動による、前記受光手段が受光する前記検出画像からの散乱反射光量の振動が所定量以下となる間隔であることを特徴とする請求項１から３のいずれか１項に記載の画像形成装置。
【請求項５】
前記検出画像は、前記移動方向とは直交する方向の１本のラインを含むことを特徴とする請求項１から３のいずれか１項に記載の画像形成装置。
【請求項６】
像担持体と、
前記像担持体の移動方向とは異なる方向の１つ以上の現像剤によるラインを含む検出画像を前記像担持体に形成する形成手段と、
前記検出画像が形成された像担持体に向けて光を照射する照射手段と、
前記照射手段が照射した光の反射光を受光し、受光量に応じた検出信号を出力する受光手段と、
前記像担持体に形成された検出画像が前記照射手段による照射領域を通過する間に、前記検出信号の第１の区間の平均値と前記検出信号の第２の区間の平均値との差に応じた信号に基づき前記検出画像の位置情報または濃度情報を検出する検出手段と、
を備えており、
前記第１の区間及び前記第２の区間は、前記ラインの前記移動方向の長さだけ前記像担持体が移動する時間より短いことを特徴とする画像形成装置。
【請求項７】
前記検出画像は、前記移動方向とは直交する方向の複数のラインを含み、
前記検出信号の前記第１の区間と前記検出信号の前記第２の区間との間隔は、前記検出画像の前記複数のラインが移動することにより前記検出信号に生じる振動の周期とは異なることを特徴とする請求項６に記載の画像形成装置。
【請求項８】
前記検出画像は、前記移動方向とは直交する方向の複数のラインを含み、
前記複数のラインの間隔は、前記検出画像の移動による、前記受光手段が受光する前記検出画像からの散乱反射光量の振動が所定量以下となる間隔であることを特徴とする請求項６又は７に記載の画像形成装置。
【請求項９】
像担持体と、
前記像担持体の移動方向とは直交する方向の１つ以上の現像剤によるラインを含む検出画像を前記像担持体に形成する形成手段と、
前記検出画像が形成された像担持体に向けて光を照射する照射手段と、
前記照射手段が照射した光の反射光を受光し、正反射光成分を含む反射光の受光量に応じた第１の検出信号を出力する１つ以上の第１の受光手段と、
前記照射手段が照射した光の反射光を受光し、正反射光成分を含む反射光の受光量に応じた第２の検出信号を出力する１つ以上の第２の受光手段と、
前記像担持体に形成した前記検出画像が前記照射手段による照射領域を通過する間に、前記１つ以上の第１の受光手段が出力する前記第１の検出信号及び前記１つ以上の第２の受光手段が出力する前記第２の検出信号に基づき前記検出画像の位置情報または濃度情報を検出する検出手段と、
を備えており、
前記検出手段は、前記第１の検出信号の和と前記第２の検出信号の和との差に応じた信号により前記検出画像の位置情報または濃度情報を検出し、
前記１つ以上の第１の受光手段それぞれの受光領域の前記移動方向の長さは、前記検出画像のラインの前記移動方向の長さだけ離れた前記像担持体の位置で正反射した光の前記１つ以上の第１の受光手段が配置されている位置での前記移動方向の長さより短く、
前記１つ以上の第２の受光手段それぞれの受光領域の前記移動方向の長さは、前記検出画像のラインの前記移動方向の長さだけ離れた前記像担持体の位置で正反射した光の前記１つ以上の第２の受光手段が配置されている位置での前記移動方向の長さより短いことを特徴とする画像形成装置。
【請求項１０】
前記検出画像は、前記移動方向とは直交する方向の複数のラインを含み、
前記第１の検出信号及び前記第２の検出信号には、前記検出画像の前記複数のラインが移動することにより振動が生じ、
前記第１の検出信号と前記第２の検出信号の位相が異なる様に、前記第１の受光手段と前記第２の受光手段は配置されていることを特徴とする請求項９に記載の画像形成装置。
【請求項１１】
前記検出画像は、前記移動方向とは直交する方向の複数のラインを含み、
前記複数のラインの間隔は、前記検出画像の移動による、前記第１の受光手段及び前記第２の受光手段が受光する前記検出画像からの散乱反射光量の振動が所定量以下となる間隔であることを特徴とする請求項９又は１０に記載の画像形成装置。
【請求項１２】
前記位置情報を用いて形成する画像の位置の補正を行う、或いは、前記濃度情報を用いて形成する画像の濃度の補正を行うことを特徴とする請求項１から１１のいずれか１項に記載の画像形成装置。
【請求項１３】
現像剤からなる検出画像が形成された像担持体に向けて光を照射する照射手段と、
前記照射手段が照射した光の反射光を受光し、正反射光成分を含む反射光の受光量に応じた検出信号を出力する受光手段と、
前記像担持体に形成された、前記像担持体の移動方向とは異なる方向の１つ以上の現像剤によるラインを含む検出画像が前記照射手段による照射領域を通過する間に、前記検出画像が形成された第１の位置からの反射光の受光量に応じた検出信号の値と、前記第１の位置とは異なる第２の位置からの反射光の受光量に応じた検出信号の値と、の差に応じた信号に基づき前記検出画像の位置情報または濃度情報を検出する検出手段と、
を備えており、
前記第１の位置及び前記第２の位置それぞれの前記検出手段による検出領域の前記移動方向の長さは、前記ラインの前記移動方向の長さより短いことを特徴とする検出装置。
【請求項１４】
現像剤からなる検出画像が形成された像担持体に向けて光を照射する照射手段と、
前記照射手段が照射した光の反射光を受光し、正反射光成分を含む反射光の受光量に応じた検出信号を出力する受光手段と、
前記像担持体に形成された、前記像担持体の移動方向とは異なる方向の１つ以上の現像剤によるラインを含む検出画像が前記照射手段による照射領域を通過する間に、前記検出信号の第１の区間の平均値と前記検出信号の第２の区間の平均値との差に応じた信号に基づき前記検出画像の位置情報または濃度情報を検出する検出手段と、
を備えており、
前記第１の区間及び前記第２の区間は、前記ラインの前記移動方向の長さだけ前記像担持体が移動する時間より短いことを特徴とする検出装置。
【請求項１５】
現像剤からなる検出画像が形成された像担持体に向けて光を照射する照射手段と、
前記照射手段が照射した光の反射光を受光し、正反射光成分を含む反射光の受光量に応じた第１の検出信号を出力する１つ以上の第１の受光手段と、
前記照射手段が照射した光の反射光を受光し、正反射光成分を含む反射光の受光量に応じた第２の検出信号を出力する１つ以上の第２の受光手段と、
前記像担持体に形成された、前記像担持体の移動方向とは異なる方向の１つ以上の現像剤によるラインを含む検出画像が前記照射手段による照射領域を通過する間に前記１つ以上の第１の受光手段が出力する前記第１の検出信号及び前記１つ以上の第２の受光手段が出力する前記第２の検出信号に基づき前記検出画像の位置情報または濃度情報を検出する検出手段と、
を備えており、
前記検出手段は、前記第１の検出信号の和と前記第２の検出信号の和の差に応じた信号により前記検出画像の位置情報または濃度情報を検出し、
前記１つ以上の第１の受光手段それぞれの受光領域の前記移動方向の長さは、前記検出画像のラインの前記移動方向の長さだけ離れた前記像担持体の位置で正反射した光の前記１つ以上の第１の受光手段が配置されている位置での前記移動方向の長さより短く、
前記１つ以上の第２の受光手段それぞれの受光領域の前記移動方向の長さは、前記検出画像のラインの前記移動方向の長さだけ離れた前記像担持体の位置で正反射した光の前記１つ以上の第２の受光手段が配置されている位置での前記移動方向の長さより短いことを特徴とする検出装置。
【手続補正２】
【補正対象書類名】明細書
【補正対象項目名】０００８
【補正方法】変更
【補正の内容】
【０００８】
本発明の一側面によると、画像形成装置は、像担持体と、前記像担持体の移動方向とは異なる方向の１つ以上の現像剤によるラインを含む検出画像を前記像担持体に形成する形成手段と、前記検出画像が形成された像担持体に向けて光を照射する照射手段と、前記照射手段が照射した光の反射光を受光し、正反射光成分を含む反射光の受光量に応じた検出信号を出力する受光手段と、前記像担持体に形成された検出画像が前記照射手段による照射領域を通過する間に、前記検出画像が形成された第１の位置からの反射光の受光量に応じた検出信号の値と、前記第１の位置とは異なる第２の位置からの反射光の受光量に応じた検出信号の値と、の差に応じた信号に基づき前記検出画像の位置情報または濃度情報を検出する検出手段と、を備えており、前記第１の位置及び前記第２の位置それぞれの前記検出手段による検出領域の前記移動方向の長さは、前記ラインの前記移動方向の長さより短いことを特徴とする。